(57)【要約】【課題】  簡単に機能変更のできる電気機器を提供する。【解決手段】  基本モデルのチューナ部1AはAM／FM機能、グラフィックイコライザ部4Aは５素子であるが、変形モデルのチューナ部をTV音声機能付き、グラフィックイコライザ部を７素子としたい場合、第１〜第３選択用機能をTV音声、５素子グライコ、７素子グライコとし、基本モデルのEEPR0M10A には第１〜第３選択用機能につきオフ、オン、オフを登録し、変形モデルではオン、オフ、オンに変更して登録する。基本モデル、変形モデルともマイクロコンピュータ700 は、電源投入後、プログラムROM80 に記憶された同一の制御プログラムの初期設定プログラムに従い、EEPR0Mに登録された機能別オン・オフ情報に従い車載用オーディオシステムの各部を初期設定し、基本モデルでは第２選択用機能オンさせ、第１、第３選択用機能をオフさせ、変形モデルでは第１、第３選択用機能をオンさせ、第２選択用機能をオフさせる。【選択図】        図４
2007299067.tif 000002
【特許請求の範囲】
【請求項１】
機能構成の変更が可能でｎ種類の選択用機能の中から選択されたｋ種類を含む機能を有する電気機器において、
電気機器の各部に対し、前記ｎ種類の機能を含む制御が可能な制御プログラムを記憶したプログラム記憶部と、
プログラム記憶部に記憶された制御プログラムに基づき、電気機器の各部を制御する処理部と、
前記ｎ種類の選択用機能別に、機能オン・オフ設定情報を変更自在に登録する登録部と、
を含み、
前記制御プログラムに登録部で登録された機能オン・オフ設定情報を参照して電気機器の各部を初期設定し、前記ｎ種類の内、ｋ種類の機能をオンさせ、残りの（ｎ−ｋ）種類の機能をオフさせる初期設定プログラムを含めておき、
前記処理部は、電気機器の電源投入時に初期設定プログラムを実行し、電気機器各部の初期設定を行うようにしたこと、
を特徴とする電気機器。
【請求項２】
登録部は、ＥＥＰＲＯＭまたはディプスイッチ群またはショートピン群によって構成したこと、
を特徴とする電気機器。
【発明の詳細な説明】
【技術分野】
【０００１】
本発明は電気機器に係り、とくに機能構成の変更が可能な電気機器に関する。
【背景技術】
【０００２】
例えば、車載用オーディオシステムは、図１に示す如くＡＭ／ＦＭのチューナ部１、ＣＤ再生部２、ソースセレクト部３、オーディオ帯域を第１バンド（低域側）〜第５バンド（高域側）まで５バンドに分割してゲインコントロールを行う５素子のグラフィックイコライザ部４、ボリューム部５、キー操作部６、マイクロコンピュータ７、システム各部の制御を行うための制御プログラムを記憶したプログラムＲＯＭ８、データを一時記憶するＲＡＭ９、電気的書き換えが可能で、前回電源オフ直前のシステムの動作状態データを記憶するＥＥＰＲＯＭ１０などが組み合わされてなる。キー操作部６にはソースセレクトキー６１、受信モード切り替えキー６２、受信周波数アップキー６３、受信周波数ダウンキー６４、グラフィックイコライザ用のバンドアップキー６５、バンドダウンキー６６、ゲインアップキー６７、ゲインダウンキー６８、音量アップキー６９、音量ダウンキー７０などを有している。ＥＥＰＲＯＭ１０に記憶される動作状態データには、ソースセレクト部３のポジションを示すソースセレクトデータLSOCE 、チューナ部１の最後の受信モードデータLMODE 、ＡＭモードでの最後の受信周波数データLFR(AM) 、ＦＭモードの最後の受信周波数データLFR(FM) 、グラフィックイコライザ部４に対するバンド切り替えキーによる最後の操作対象バンドデータLPB
、最後の第１バンドゲインデータ〜第５バンドゲインデータLBG1〜LBG5、ボリューム５での最後のボリュームデータLVOLが含まれる。
【０００３】
マイクロコンピータ７は電源投入後、プログラムＲＯＭ８に記憶された制御プログラム中の初期設定プログラムに基づき、図２に示す制御処理を実行する。まずＥＥＰＲＯＭ１０に記憶されている動作状態データを参照して各部を制御し、前回電源オフ直前の動作状態を再現する（ステップＳ１０）。具体的には、受信モードデータLMODE がＦＭであれば、チューナ部１に対しＦＭモードへの切り替え制御とＦＭ受信周波数データLFR(FM) の示す受信周波数への同調制御をし、ソースセレクトデータLSOCE がチューナであればソースセレクト部３に対しチューナ部１の側への切り替え制御をし、第１バンドゲインデータ〜第５バンドゲインデータLBG1〜LBG5がLBG1＝０、LBG2＝＋４、LBG3＝＋６、LBG4＝０、LBG5＝−２（単位はｄＢ）であれば、グラフィックイコライザ部４に対し、第１バンド＝０、第２バンド＝＋４、第３バンド＝＋６、第４バンド＝０、第５バンド＝−２（ｄＢ）のゲイン設定制御をし、ボリュームデータLVOLが−４０（ｄＢ）であれば、ボリューム部５に対し−４０（ｄＢ）の音量調整制御をする。これにより、ユーザはＦＭ放送を前回電源オフ直前の周波数特性と音量で聴取できる。
【０００４】
このあと、マイクロコンピュータ７は通常のシステム制御に移行し、ユーザによるキー操作部６でのキー操作に従い、例えば、受信周波数アップキー６３または受信周波数ダウンキー６４が操作されると、ＦＭ受信周波数データLFR(FM) を増加または減少させ、チューナ部１を制御してＦＭ受信周波数を増加または減少させる（ステップＳ１１、Ｓ１２）。受信モード切り替えキー６２が操作されたときは、受信モードデータLMODE をＡＭとし、チューナ部１を制御してＡＭモードへの切り替え制御とＡＭ受信周波数データLFR(AM) の示す受信周波数への同調制御をする（ステップＳ１３〜Ｓ１５）。再度、受信モード切り替えキー６２が操作されたときは、受信モードデータLMODE をＦＭとし、チューナ部１を制御してＦＭモードへの切り替え制御とＦＭ受信周波数データLFR(FM) の示す受信周波数への同調制御をする（ステップＳ１３、Ｓ１４、Ｓ１６）。ソースセレクトキー６１が操作されると、LSOCE をＣＤとしソースセレクト部３を制御してＣＤ側に切り替えさせるので（ステップＳ１７、Ｓ１８）、ユーザがＣＤをＣＤ再生部２に装てんし再生を開始させると、ＣＤ音楽を聴取できる。ソースセレクトキー６１を再度操作すると、元のＦＭ放送に戻る（ステップＳ１７、Ｓ１８）。
【０００５】
グラフィックイコライザ部４に対するゲインアップキー６７とゲインダウンキー６８の現在の操作対象バンドデータLPB が第１バンドであるとして、第３バンドのゲインを持ち上げたい場合（下げたい場合）、バンドアップキー６５を２回操作すると、操作対象バンドデータLPB を第３バンドとし（図３のステップＳ２０、Ｓ２１）、ゲインアップキー６７（ゲインダウンキー６８）を操作する度に第３バンドゲインデータLBG3を＋８、＋１０・・（＋４、＋２・・）という具合に２ｄＢずつ増加（減少）し、グラフィックイコライザ部４を制御して、第３バンドのゲインを＋８、＋１０・・（＋４、＋２・・）という具合に２ｄＢずつ増加（減少）させる（ステップＳ２２、Ｓ２３）。第２バンドのゲインを持ち上げたい場合（下げたい場合）、バンドダウンキー６６を１回操作すると、操作対象バンドデータLPB を第２バンドとし（ステップＳ２０、Ｓ２１）、ゲインアップキー６７（ゲインダウンキー６８）を操作する度に第２バンドゲインデータLBG2を＋６、＋８・・（＋２、０、・・）という具合に２ｄＢずつ増加（減少）し、グラフィックイコライザ部４を制御して、第２バンドのゲインを＋６、＋８・・（＋２、０・・）という具合に２ｄＢずつ増加（減少）させる（ステップＳ２２、Ｓ２３）。音量を上げたい場合（下げたい場合）、ボリュームアップキー６９（ボリュームダウンキー７０）を操作する度にボリュームデータLVOLを−３８、−３６・・（−４２、−４４・・）という具合に２ｄＢずつ増加（減少）し、ボリューム部５を制御して、音量を−３８、−３６・・（−４２、−４４・・）という具合に２ｄＢずつ増加（減少）させる（ステップＳ２４、Ｓ２５）。
【０００６】
ところで、車載用オーディオシステムのメーカが図１のプログラムＲＯＭ８の部品を調達するためには、プログラム開発、プログラム評価とデバッグ、メモリ業者へのプログラムの引渡し、メモリ業者でのＲＯＭへのプログラムの焼付け、量産という大変手間の掛かる工程を経る。車載用オーディオシステムでは短期間に新モデルをリリースすることが多いが、実際には前モデルから簡単な機能の削除・追加等を行ったマイナーチェンジモデルである。たとえば、図１のモデルから、チューナ部１にＴＶ音声受信機能を追加したり、グラフィックイコライザ部４を第１バンド〜第７バンドの７素子に変更したりする如くである。ところが、このようなマイナーチェンジであっても、従来はベースモデルのプログラム分析とプログラムの変更、変更後のプログラムの評価とデバッグ、メモリ業者へのプログラムの引渡し、メモリ業者でのＲＯＭへのプログラムの焼付け、量産という工程を経なければならず、大変手間が掛かっていた。
【０００７】
【特許文献１】特開２００６−４０１４号公報
【発明の開示】
【発明が解決しようとする課題】
【０００８】
本発明は上記した従来技術の問題に鑑み、簡単に機能変更のできる電気機器を提供することをその目的とする。
【課題を解決するための手段】
【０００９】
請求項１の発明は、機能構成の変更が可能でｎ種類の選択用機能の中から選択されたｋ種類を含む機能を有する電気機器において、電気機器の各部に対し、前記ｎ種類の機能を含む制御が可能な制御プログラムを記憶したプログラム記憶部と、プログラム記憶部に記憶された制御プログラムに基づき、電気機器の各部を制御する処理部と、前記ｎ種類の選択用機能別に、機能オン・オフ設定情報を変更自在に登録する登録部と、を含み、前記制御プログラムに登録部で登録された機能オン・オフ設定情報を参照して電気機器の各部を初期設定し、前記ｎ種類の内、ｋ種類の機能をオンさせ、残りの（ｎ−ｋ）種類の機能をオフさせる初期設定プログラムを含めておき、前記処理部は、電気機器の電源投入時に初期設定プログラムを実行し、電気機器各部の初期設定を行うようにしたこと、を特徴としている。
請求項２の発明は、登録部は、ＥＥＰＲＯＭまたはディプスイッチ群またはショートピン群によって構成したこと、を特徴としている。
【発明の効果】
【００１０】
本発明の電気機器によれば、ｎ種類の選択用機能別に、機能オン・オフ設定情報を変更自在に登録部に登録してあり、プログラム記憶部には電気機器の各部に対し、ｎ種類の選択用機能の全機能を含む制御が可能な制御プログラムを記憶してある。この制御プログラムには登録部で登録された機能オン・オフ設定情報を参照して電気機器の各部を初期設定し、前記ｎ種類の内、ｋ種類の機能をオンさせ、残りの（ｎ−ｋ）種類の機能をオフさせる初期設定プログラムが含まれている。処理部は、電気機器の電源投入時に初期設定プログラムを実行し、電気機器各部の初期設定を行うので、制御プログラムの変更をしなくてもｎ種類の選択用機能について、適宜選択されたｋ種類の機能の動作だけ実行させることができ、モデルチェンジに要する手間が大幅に軽減する。
【発明を実施するための最良の形態】
【００１１】
例えば、車載用オーディオシステムのベースモデルのチューナ部はＡＭ／ＦＭ放送受信機能、グラフィックイコライザ部は５素子であるが、将来マイナーチェンジモデルとしてチューナ部にＴＶ音声受信機能を追加し、グラフィックイコライザ部を５素子から７素子に変更したい場合、第１選択用機能はＴＶ音声、第２選択用機能は５素子グライコ、第３選択用機能は７素子グライコとし、ベースモデルのＥＥＰＲＯＭに機能別オン・オフ情報として第１選択用機能オフ、第２選択用機能オン、第３選択用機能オフを登録しておく。なお、マイナーチェンジモデルのＥＥＰＲＯＭには第１選択用機能オン、第２選択用機能オフ、第３選択用機能オンを登録する。ベースモデル、マイナーチェンジモデルともプログラムＲＯＭには同一の制御プログラムを記憶させておく。この制御プログラムは第１選択用機能、第２選択用機能、第３選択用機能とも実行可能であるが、但し、ＥＥＰＲＯＭに登録された機能別オン・オフ情報に従い車載用オーディオシステムの各部を初期設定し、前記第１選択用機能〜第３選択用機能の内、ベースモデルでは第２選択用機能オンさせ、残りの第１、第３選択用機能をオフさせ、マイナーチェンジモデルでは第１、第３選択用機能をオンさせ、第２選択用機能をオフさせる初期設定プログラムを含めておく。マイクロコンピュータは、車載用オーディオシステムの電源投入時、制御プログラム中の初期設定プログラムを実行することでモデルに合致した所定機能を実行可能とする。ベースモデルではチューナ部によりＡＭ／ＦＭ放送受信だけ可能であり、グラフィックイコライザ部で５素子の帯域別ゲイン調節が可能であるが、マイナーチェンジモデルではＡＭ／ＦＭ放送に加えてＴＶ音声放送の受信が可能となり、グラフィックイコライザ部で７素子の帯域別ゲイン調節が可能となる。
ベースモデルからマイナーチェンジモデルへの変更に際し、制御プログラムの変更、変更後のプログラム評価とデバッグ、プログラムＲＯＭの変更を要しないので、設計・製造の手間が大幅に軽減する。
【実施例１】
【００１２】
図４と図５は本発明の一つの実施例に係る車載用オーディオシステムのベースモデルとマイナーチェンジモデルの構成を示すブロック図である。図１と同一の構成部分には同一の符号を付してある。
図４のベースモデルにおいて、１ＡはＡＭ／ＦＭのチューナ部、２はＣＤ再生部、３はソースセレクト部、４Ａはオーディオ帯域を第１バンド（低域側）〜第５バンド（高域側）まで５バンドに分割してゲインコントロールを行う５素子のグラフィックイコライザ部、５は音量調節を行うボリューム部、６はキー操作部、７００はマイクロコンピュータ、８０はシステム各部の制御を行うための制御プログラムを記憶したプログラムＲＯＭ、９はデータを一時記憶するＲＡＭ、１０Ａは電気的書き換えが可能で、前回電源オフ直前のシステムの動作状態データを記憶するＥＥＰＲＯＭである。キー操作部６にはソースセレクトキー６１、受信モード切り替えキー６２、受信周波数アップキー６３、受信周波数ダウンキー６４、グラフィックイコライザ用のバンドアップキー６５、バンドダウンキー６６、ゲインアップキー６７、ゲインダウンキー６８、音量アップキー６９、音量ダウンキー７０などを有している。ＥＥＰＲＯＭ１０Ａに記憶された動作状態データには、ソースセレクト部３のポジションを示すソースセレクトデータLSOCE
、チューナ部１Ａの最後の受信モードデータLMODE 、ＡＭモードでの最後の受信周波数データLFR(AM) 、ＦＭモードの最後の受信周波数データLFR(FM) 、グラフィックイコライザ部４に対するバンド切り替えキーによる最後の操作対象バンドデータLPB 、最後の第１バンドゲインデータ〜第５バンドゲインデータLBG1〜LBG5、ボリューム部５での最後のボリュームデータLVOLが含まれる。
【００１３】
図５のマイナーチェンジモデルではチューナ部が１ＢのＴＶ音声受信機能付に変更され、グラフィックイコライザ部が４Ｂの７素子に変更され、ＥＥＰＲＯＭが１０Ｂに変更される。ＥＥＰＲＯＭ１０Ｂに記憶された動作状態データには、ソースセレクト部３のポジションを示すソースセレクトデータLSOCE 、チューナ部１Ｂの最後の受信モードデータLMODE 、ＡＭモードでの最後の受信周波数データLFR(AM) 、ＦＭモードの最後の受信周波数データLFR(FM) 、ＴＶ音声モードの最後の受信周波数データLFR(TV音声) 、グラフィックイコライザ部４に対するバンド切り替えキーによる最後の操作対象バンドデータLPB 、最後の第１バンドゲインデータ〜第７バンドゲインデータLBG1〜LBG7、ボリューム部５での最後のボリュームデータLVOLが含まれる。
即ち、ベースモデルではＴＶ音声受信機能無し、５素子グライコ機能有り、７素子グライコ機能無し、マイナーチェンジモデルではＴＶ音声受信機能有り、５素子グライコ機能無し、７素子グライコ機能有りなので、これらの機能を第１乃至第３選択用機能としておき、メーカで製造段階においてベースモデルのＥＥＰＲＯＭ１０Ａの空き領域に図６（１）の如く、各選択用機能別に、機能オン・オフ情報が登録してあり、同様にマイナーチェンジモデルのＥＥＰＲＯＭ１０Ｂの空き領域に図６（２）の如く、各選択用機能別に、機能オン・オフ情報が登録してある（なお、動作状態データの初期値もメーカ側で製造段階において登録されている）。プログラムＲＯＭ８０に記憶された制御プログラムはベースモデル、マイナーチェンジモデル共通であり、第１選択用機能、第２選択用機能、第３選択用機能とも実行可能であるが、ＥＥＰＲＯＭに登録された機能別オン・オフ情報に従い車載用オーディオシステムの各部を初期設定し、前記第１選択用機能〜第３選択用機能の内、ベースモデルでは第２選択用機能オンさせ、残りの第１、第３選択用機能をオフさせ、マイナーチェンジモデルでは第１、第３選択用機能をオンさせ、第２選択用機能をオフさせる初期設定プログラムが含めてある。
【００１４】
マイクロコンピュータ７００は、車載用オーディオシステムの電源投入時、制御プログラム中の初期設定プログラムを実行することでモデルに合致した所定機能を実行可能とする。ベースモデルではチューナ部１ＡによりＡＭ／ＦＭ放送受信だけ可能とさせ、グラフィックイコライザ部４Ａで５素子の帯域別ゲイン調節を可能とさせる。一方、マイナーチェンジモデルではチューナ部１ＢによりＡＭ／ＦＭ放送に加えてＴＶ音声放送の受信を可能とさせ、グラフィックイコライザ部４Ｂで７素子の帯域別ゲイン調節を可能とさせる。
【００１５】
図７〜図９はマイクロコンピュータ７００により実行される初期設定処理を含む制御処理を示すフローチャートであり、以下、これらの図を参照して上記した実施例の動作を説明する。
＜ベーシックモーデルの場合＞
図４のベーシックモーデルのマイクロコンピータ７００は電源投入後、プログラムＲＯＭ８０に記憶された制御プログラム中の初期設定プログラムに基づき、図７のステップＳ１００〜ステップＳ１１０までに示す初期設定処理を実行する。ベースモデルの場合、ＥＥＰＲＯＭ１０Ａに記憶されている機能別オン・オフ情報と動作状態データを参照して各部の初期設定をし、ベースモデルに合致した機能だけ可能とさせ、マイナーチェンジモデル固有の機能を不能とするとともに前回電源オフ直前の動作状態を再現する。具体的には、第１選択用機能がオフなので、受信モードデータＬＭＯＤＥの可変要素をＡＭとＦＭに設定し（ステップＳ１００、Ｓ１０１）、受信モードデータLMODE がＦＭであれば、チューナ部１Ａに対しＦＭモードへの切り替え制御とＦＭ受信周波数データLFR(FM) の示す受信周波数への同調制御をする（ステップＳ１０３）。次に、第２選択用機能がオン、第３選択用機能がオフなので、操作対象バンドデータの可変要素を第１バンド〜第５バンドに設定し（ステップＳ１０４、Ｓ１０５）、第１バンドゲインデータ〜第５バンドゲインデータLBG1〜LBG5がLBG1＝０、LBG2＝＋４、LBG3＝＋６、LBG4＝０、LBG5＝−２（単位はｄＢ）であれば、グラフィックイコライザ部４Ａに対し、第１バンド＝０、第２バンド＝＋４、第３バンド＝＋６、第４バンド＝０、第５バンド＝−２（ｄＢ）のゲイン設定制御をする（ステップＳ１０６）。あとは、ソースセレクトデータLSOCE がチューナであればソースセレクト部２対しチューナ部１Ａの側への切り替え制御をし、し、ボリュームデータLVOLが−４０（ｄＢ）であれば、ボリューム部５に対し−４０（ｄＢ）の音量調整制御をする（ステップＳ１１０）。これにより、ユーザはＦＭ放送を前回電源オフ直前の周波数特性と音量で聴取できる。
【００１６】
このあと、マイクロコンピュータ７００は図８、図９に示す通常のシステム制御に移行し、ユーザによるキー操作部６でのキー操作に従い、例えば、受信周波数アップキー６３または受信周波数ダウンキー６４が操作されると、ＦＭ受信周波数データLFR(FM) を増加または減少させ、チューナ部１Ａを制御してＦＭ受信周波数を増加または減少させる（ステップＳ１２１、Ｓ１２２）。受信モード切り替えキー６２が操作されたときは、受信モードデータLMODE の可変要素がＡＭとＦＭの２つしかないので、受信モードデータLMODE をＡＭとし、チューナ部１Ａを制御してＡＭモードへの切り替え制御とＡＭ受信周波数データLFR(AM) の示す受信周波数への同調制御をする（ステップＳ１２３〜Ｓ１２５）。再度、受信モード切り替えキー６２が操作されたときは、受信モードデータLMODE をＦＭとし、チューナ部１Ａを制御してＦＭモードへの切り替え制御とＦＭ受信周波数データLFR(FM) の示す受信周波数への同調制御をする（ステップＳ１２３〜Ｓ１２５）。ソースセレクトキー６１が操作されると、LSOCE をＣＤとしソースセレクタ部３を制御してＣＤ側に切り替えさせるので（ステップＳ１２７、Ｓ１２８）、ユーザがＣＤをＣＤ再生部２に装てんし再生を開始させると、ＣＤ音楽を聴取できる。ソースセレクトキー６１を再度操作すると、元のＦＭ放送に戻る（ステップＳ１２７、Ｓ１２８）。
【００１７】
グラフイックイコライザ部４Ａに対するゲインアップキー６７とゲインダウンキー６８による操作対象バンドの可変域は第１〜第５バンドの範囲に制限されており、現在の操作対象バンドデータLPB が第１バンドであるとして、第３バンドのゲインを持ち上げたい場合（下げたい場合）、バンドアップキー６５を２回操作すると、操作対象バンドデータLPB を第３バンドとし（図９のステップＳ１３０、Ｓ１３１）、ゲインアップキー６７（ゲインダウンキー６８）を操作する度に第３バンドゲインデータLBG3を＋８、＋１０・・（＋４、＋２・・）という具合に２ｄＢずつ増加（減少）し、グラフィックイコライザ部４を制御して、第３バンドのゲインを＋８、＋１０・・（＋４、＋２・・）という具合に２ｄＢずつ増加（減少）させる（ステップＳ１３２、Ｓ１３３）。第２バンドのゲインを持ち上げたい場合（下げたい場合）、バンドダウンキー６６を１回操作すると、操作対象バンドデータLPB を第２バンドとし（ステップＳ１３０、Ｓ１３１）、ゲインアップキー６７（ゲインダウンキー６８）を操作する度に第２バンドゲインデータLBG2を＋６、＋８・・（＋２、０、・・）という具合に２ｄＢずつ増加（減少）し、グラフィックイコライザ部４Ａを制御して、第３バンドのゲインを＋６、＋８・・（＋２、０・・）という具合に２ｄＢずつ増加（減少）させる（ステップＳ１３２、Ｓ１３３）。音量を上げたい場合（下げたい場合）、ボリュームアップキー６９（ボリュームダウンキー７０）を操作する度にボリュームデータLVOLを−３８、−３６・・（−４２、−４４・・）という具合に２ｄＢずつ増加（減少）し、ボリューム部５を制御して、音量を−３８、−３６・・（−４２、−４４・・）という具合に２ｄＢずつ増加（減少）させる（ステップＳ１３４、Ｓ１３５）。このようにして、ベースモデルに対する通常のシステム制御がなされる。
【００１８】
＜マイナーチェンジモーデルの場合＞
図５のマイナーチェンジモーデルの場合、マイクロコンピータ７００は電源投入後、プログラムＲＯＭ８０に記憶された制御プログラム中の初期設定プログラムに基づき、ＥＥＰＲＯＭ１０Ｂに記憶されている機能別オン・オフ情報と動作状態データを参照して各部の初期設定をし、マイナーチェンジモデルに合致した機能だけ可能とさせ、ベースモデル固有の機能を不能とするとともに前回電源オフ直前の動作状態を再現する。具体的には、第１選択用機能がオンなので、受信モードデータＬＭＯＤＥの可変要素をＡＭとＦＭ、ＴＶ音声の３つに設定し（図７のステップＳ１００、Ｓ１０２）、受信モードデータLMODE がＴＶ音声であれば、チューナ部１Ｂに対しＴＶ音声モードへの切り替え制御とＴＶ音声受信周波数データLFR(TV音声) の示す受信周波数への同調制御をする（ステップＳ１０３）。次に、第２選択用機能がオフ、第３選択用機能がオンなので、操作対象バンドデータの可変要素を第１バンド〜第７バンドに設定し、第１バンドゲインデータ〜第７バンドゲインデータLBG1〜LBG7がLBG1＝０、LBG2＝＋４、LBG3＝＋６、LBG4＝０、LBG5＝−２、LBG6＝０、LBG7＝−２（単位はｄＢ）であれば、グラフィックイコライザ部４Ｂに対し、第１バンド＝０、第２バンド＝＋４、第３バンド＝＋６、第４バンド＝０、第５バンド＝−２、第６バンド＝０、第７バンド＝−２（ｄＢ）のゲイン設定制御をする（ステップＳ１０４でＮＯ、Ｓ１０７でＹＥＳ、Ｓ１０８、Ｓ１０９）。あとは、ソースセレクトデータLSOCE がチューナであればソースセレクト部あに対しチューナ部１Ｂの側への切り替え制御をし、ボリュームデータLVOLが−４０（ｄＢ）であれば、ボリューム部５に対し−４０（ｄＢ）の音量調整制御をする（ステップＳ１１０）。これにより、ユーザはＴＶ音声放送を前回電源オフ直前の周波数特性と音量で聴取できる。
【００１９】
このあと、マイクロコンピュータ７０は通常のシステム制御に移行し、ユーザによるキー操作部６でのキー操作に従い、例えば、受信周波数アップキー６３または受信周波数ダウンキー６４が操作されると、ＴＶ音声受信周波数データLFR(TV音声) を増加または減少させ、チューナ部１Ｂを制御してＴＶ音声受信周波数を増加または減少させる（図８のステップＳ１２１、Ｓ１２２）。受信モード切り替えキー６２が操作されたときは、受信モードデータLMODE の可変要素がＡＭ、ＦＭ、ＴＶ音声の３つなので、受信モードデータLMODE をＡＭとし、チューナ部１Ｂを制御してＡＭモードへの切り替え制御とＡＭ受信周波数データLFR(AM)
の示す受信周波数への同調制御をする（ステップＳ１２３、Ｓ１２４、Ｓ１２６）。再度、受信モード切り替えキー６２が操作されたときは、受信モードデータLMODE をＦＭとし、チューナ部１Ｂを制御してＦＭモードへの切り替え制御とＦＭ受信周波数データLFR(FM) の示す受信周波数への同調制御をする（ステップＳ１２３、Ｓ１２４、Ｓ１２６）。ソースセレクトキー６１が操作されると、LSOCE をＣＤとしソースセレクト部３を制御してＣＤ側に切り替えさせるので（ステップＳ１２７、Ｓ１２８）、ユーザがＣＤをＣＤ再生部２に装てんし再生を開始させると、ＣＤ音楽を聴取できる。ソースセレクトキー６１を再度操作すると、元のＦＭ放送に戻る（ステップＳ１２７、Ｓ１２８）。
【００２０】
グラフィックイコライザ部４Ｂに対するゲインアップキー６７とゲインダウンキー６８による操作対象バンドの可変域は第１〜第７バンドの範囲なので、現在の操作対象バンドデータLPB が第４バンドであるとして、第６バンドのゲインを持ち上げたい場合（下げたい場合）、バンドアップキー６５を２回操作すると、操作対象バンドデータLPB を第６バンドとし（図９のステップＳ１３０、Ｓ１３１）、ゲインアップキー６７（ゲインダウンキー６８）を操作する度に第６バンドゲインデータLBG6を＋２、＋４・・（−２、−４・・）という具合に２ｄＢずつ増加（減少）し、グラフィックイコライザ部４Ｂを制御して、第６バンドのゲインを＋２、＋４・・（−２、−４・・）という具合に２ｄＢずつ増加（減少）させる（ステップＳ１３２、Ｓ１３３）。第５バンドのゲインを持ち上げたい場合（下げたい場合）、バンドダウンキー６６を１回操作すると、操作対象バンドデータLPB を第５バンドとし（ステップＳ１３０、Ｓ１３１）、ゲインアップキー６７（ゲインダウンキー６８）を操作する度に第５バンドゲインデータLBG5を０、＋２・・（−４、−６、・・）という具合に２ｄＢずつ増加（減少）し、グラフィックイコライザ部４Ｂを制御して、第５バンドのゲインを０、＋２、・・（−４、−６・・）という具合に２ｄＢずつ増加（減少）させる（ステップＳ１３２、Ｓ１３３）。音量を上げたい場合（下げたい場合）、ボリュームアップキー６９（ボリュームダウンキー７０）を操作する度にボリュームデータLVOLを−３８、−３６・・（−４２、−４４・・）という具合に２ｄＢずつ増加（減少）し、ボリューム部５を制御して、音量を−３８、−３６・・（−４２、−４４・・）という具合に２ｄＢずつ増加（減少）させる（ステップＳ１３４、Ｓ１３５）。このようにして、マイナーチェンジモデルに対する通常のシステム制御がなされる。
【００２１】
この実施例によれば、車載用オーディオシステムのベースモデルのチューナ部１ＡはＡＭ／ＦＭ放送受信機能だけであり、グラフィックイコライザ部４Ａは５素子であるが、マイナーチェンジモデルではチューナ部１ＢをＴＶ音声受信機能付とし、グラフィックイコライザ部４Ｂを７素子に変更したい場合、第１選択用機能はＴＶ音声、第２選択用機能は５素子グライコ、第３選択用機能は７素子グライコとし、ベースモデルのＥＥＰＲＯＭ１０Ａに機能別オン・オフ情報として第１選択用機能オフ、第２選択用機能オン、第３選択用機能オフを登録しておく。なお、マイナーチェンジモデルのＥＥＰＲＯＭ１０Ｂには第１選択用機能オン、第２選択用機能オフ、第３選択用機能オンを登録しておく。ベースモデル、マイナーチェンジモデルともプログラムＲＯＭ８０には同一の制御プログラムを記憶させておく。この制御プログラムは第１選択用機能、第２選択用機能、第３選択用機能とも実行可能であるが、但し、ＥＥＰＲＯＭに登録された機能別オン・オフ情報に従い車載用オーディオシステムの各部を初期設定し、前記第１選択用機能〜第３選択用機能の内、ベースモデルでは第２選択用機能オンさせ、残りの第１、第３選択用機能をオフさせ、マイナーチェンジモデルでは第１、第３選択用機能をオンさせ、第２選択用機能をオフさせる初期設定プログラムを含めておく。マイクロコンピュータ７００は、車載用オーディオシステムの電源投入時、制御プログラム中の初期設定プログラムを実行することでモデルに合致した所定機能を実行可能とする。ベースモデルではチューナ部１ＡによりＡＭ／ＦＭ放送受信だけ可能であり、グラフィックイコライザ部４Ａで５素子の帯域別ゲイン調節が可能であるが、マイナーチェンジモデルではチューナ部１ＢによりＡＭ／ＦＭ放送に加えてＴＶ音声放送の受信が可能となり、グラフィックイコライザ部４Ｂで７素子の帯域別ゲイン調節が可能となる。
ベースモデルからマイナーチェンジモデルへの変更に際し、制御プログラムの変更、変更後のプログラム評価とデバッグ、プログラムＲＯＭの変更を一切要しないので、設計・製造の手間が大幅に軽減する。
【００２２】
なお、上記した実施例では選択用機能が３つの場合につき説明したが、２以下または４以上の場合にも同様に適用することができる。
また、機能別オン・オフ情報をＥＥＰＲＯＭに登録するようにしたが、本発明は何らこれに限定されず、図１０（１）に示す如く、第１〜第ｎ選択用機能の別に設けたディップスイッチＳＷ１〜ＳＷｎにより登録するようにしたり（ＳＷｉがオンのとき第ｉ機能オン、ＳＷｊがオフのとき第ｊ機能オン）、図１０（２）に示す如く、第１〜第ｎ選択用機能別にショートピンＳＰｉでショートさせたり（第ｉ機能オン）、ショートピンＳＰｊを省略させたりして（第ｊ機能オフ）、登録するようにしても良い。
【産業上の利用可能性】
【００２３】
本発明は、車載用ＡＶシステム、車載用ナビゲーションシステム、家庭用オーディオシステム、家庭用ＡＶシステムを初めとした種々の電気機器に適用できる。
【図面の簡単な説明】
【００２４】
【図１】従来の車載用オーディオシステムの構成を示すブロック図である。
【図２】図１中のマイクロコンピュータの制御処理を示すフローチャートである。
【図３】図１中のマイクロコンピュータの制御処理を示すフローチャートである。
【図４】本発明に係る車載用オーディオシステムのベースモデルの構成を示すブロック図である（実施例１）。
【図５】本発明に係る車載用オーディオシステムのマイナーチェンジモデルの構成を示すブロック図である。
【図６】ＥＥＰＲＯＭに登録される機能別オン・オフ情報の説明図である。
【図７】図４、図５中のマイクロコンピュータの制御処理を示すフローチャートである。
【図８】図４、図５中のマイクロコンピュータの制御処理を示すフローチャートである。
【図９】図４、図５中のマイクロコンピュータの制御処理を示すフローチャートである。
【図１０】本発明の変形例の説明図である。
【符号の説明】
【００２５】
１Ａ、１Ｂ  チューナ部
４Ａ、ＡＢ  グラフィックイコライザ部
６  キー操作部
８０  プログラムＲＯＭ
１０Ａ、１０Ｂ  ＥＥＰＲＯＭ
ＳＷ１〜ＳＷｎ  ディップスイッチ
ＪＰ１〜ＪＰｎ  ショートピン
７００  マイクロコンピュータ
【図１】
2007299067.tif 000003
【図２】
2007299067.tif 000004
【図３】
2007299067.tif 000005
【図４】
2007299067.tif 000006
【図５】
2007299067.tif 000007
【図６】
2007299067.tif 000008
【図７】
2007299067.tif 000009
【図８】
2007299067.tif 000010
【図９】
2007299067.tif 000011
【図１０】
2007299067.tif 000012